(57)【要約】【課題】  操作者の負担を軽減しつつ省スペース化とコスト低減を図ることができる携帯製品の開閉装置を提供する【解決手段】  ガイドレール１０とこのガイドレール１０に摺動自在に支持されるシャッター９を有する携帯製品の開閉装置１において、前記ガイドレール１０とシャッター９との間に少なくとも一周巻回して大ループ部２５を形成したハートばね１４を介装し、このハートばね１４の両端部と前記大ループ部２５とのいずれか一方を前記シャッター９に支持すると共に他方を前記ガイドレール１０に支持し、前記シャッター９を、ガイドレール１０に対するシャッター９の中間作動位置を境に開方向及び閉方向に付勢して設けたことを特徴とする。【選択図】  図２
2005252872.tif 000002
【特許請求の範囲】
【請求項１】
ベースとこのベースに摺動自在に支持されるカバーを有する携帯製品の開閉装置において、前記ベースとカバーとの間に少なくとも一周巻回してループ部を形成した弾性部材を介装し、この弾性部材の両端部と前記ループ部とのいずれか一方を前記カバーに支持すると共に他方を前記ベースに支持し、前記カバーを、ベースに対するカバーの中間作動位置を境に開方向及び閉方向に付勢して設けたことを特徴とする携帯製品の開閉装置。
【請求項２】
前記ループ部に支持部を設け、この支持部を前記カバー又はベースに支持したことを特徴とする請求項１に記載の携帯製品の開閉装置。
【請求項３】
前記支持部はさらに弾性部材を少なくとも一周巻回したものであることを特徴とする請求項２に記載の携帯製品の開閉装置。
【請求項４】
前記携帯製品はカメラを備えた携帯電話であり、前記開閉装置は前記カメラのレンズを前記カバーで保護するものであることを特徴とする請求項１〜請求項３のいずれかに記載の携帯製品の開閉装置。
【発明の詳細な説明】
【技術分野】
【０００１】
この発明は、携帯製品の開閉装置に関するものである。
【背景技術】
【０００２】
従来、例えばデジタルカメラやカメラ付き携帯電話等に代表される携帯製品の開閉装置が知られている。この携帯製品の開閉装置はカバーによってカメラのレンズや液晶表示器等の部位を保護するものであり、とりわけ、スライド式の開閉装置は構造が単純であることから様々な態様の携帯製品に採用されている。
このような携帯製品の開閉装置の中に、例えばデジタルカメラのレンズを保護するスライド式のレンズカバーを弾性部材である渦巻きばねで付勢して設け、確実に前記レンズを保護できるようにしたものがある（例えば、特許文献１参照。）。
そして近年、携帯製品の多機能及び薄型化がすすむにつれて、前記開閉装置の省スペース化が望まれている。
【特許文献１】特開２００３−３０９７４４号公報
【発明の開示】
【発明が解決しようとする課題】
【０００３】
しかしながら、上記携帯製品の開閉装置では、弾性部材である渦巻きばねを設置するスペースが別途必要となるため前記開閉装置の設置スペース自体が増大してしまうという問題がある。
また、前記携帯製品の開閉装置は前記携帯製品の多機能化がすすむにつれて開閉頻度の増加が予想されており、前記平板状の渦巻きばねでは今まで以上の耐久性の確保が困難であるという問題がある。
さらに、渦巻きばね以外のコイルばねやトーションばねを弾性部材として前記開閉装置を構成したとしても、前記開閉装置の厚さがこれらのコイルばねやトーションばねの巻径や巻数に依存してしまうため、おのずと前記開閉装置の省スペース化には限界が生じてしまう。
そして、前記渦巻きばね等の弾性部材を用いて前記開閉装置のカバーを開位置及び閉位置に付勢しようとすると前記開閉装置の部品点数が増加してコストが増加する問題がある。
また、前記開閉装置の弾性部材を省略したり弾性部材がカバーを付勢する方向を一方だけに設定したりして省スペース化を優先させると開閉操作が不確実なものとなり操作者がカバーの開閉を逐次確認する必要があるため操作者の負担が増加する問題がある。
【０００４】
そこで、この発明は操作者の負担を軽減しつつ省スペース化とコスト低減を図ることができる携帯製品の開閉装置を提供するものである。
【課題を解決するための手段】
【０００５】
上記目的を達成するために、請求項１に記載した発明は、ベース（例えば、実施の形態におけるガイドレール１０）とこのベースに摺動自在に支持されるカバー（例えば、実施の形態におけるシャッター９）を有する携帯製品の開閉装置において、前記ベースとカバーとの間に少なくとも一周巻回してループ部（例えば、実施の形態における大ループ部２５）を形成した弾性部材（例えば、実施の形態におけるハートばね１４）を介装し、この弾性部材の両端部と前記ループ部とのいずれか一方を前記カバーに支持すると共に他方を前記ベースに支持し、前記カバーを、ベースに対するカバーの中間作動位置を境に開方向及び閉方向に付勢して設けたことを特徴とする。
このように構成することで、携帯製品の一部を保護する前記カバーの中間作動位置を境にしてこのカバーを開又は閉方向に常に付勢するため、前記カバーを開閉操作した後は、前記カバーを確実に全開又は全閉位置に配置することができる。
また、ループ部を有した弾性部材を用いることで、この弾性部材を設けていない従来の開閉装置と比較して薄型化を図ることが可能になると共に、部品点数を低減することができる。
【０００６】
請求項２に記載した発明は、前記ループ部に支持部（例えば、実施の形態における小ループ部２６）を設け、この支持部を前記カバー又はベースに支持したことを特徴とする。
このように構成することで、前記ループ部と支持部を一体で形成することができ、前記ループ部を支持する支持部を別途設ける必要がなくなる。
【０００７】
請求項３に記載した発明は、前記支持部はさらに弾性部材を少なくとも一周巻回して形成したものであることを特徴とする。
このように構成することで、一周巻回するだけで支持部を形成できるため、前記支持部を容易且つ安価に形成することが可能となる。
【０００８】
請求項４に記載した発明は、前記携帯製品はカメラを備えた携帯電話（例えば、実施の形態におけるカメラ付き携帯電話２）であり、前記開閉装置は前記カメラのレンズを前記カバーで保護するものであることを特徴とする。
このように構成することで、衣服のポケットや鞄に入れて持ち歩き外面に擦り傷等が生じやすい携帯電話で特にカメラ付きの携帯電話で確実且つ容易にレンズを保護することができる。
【発明の効果】
【０００９】
請求項１に記載した発明によれば、前記カバーの中間作動位置を境にしてこのカバーを開又は閉方向に常に付勢するため、前記カバーを開閉操作した後は、前記カバーを確実に全開又は全閉位置に配置することができ、したがって、操作者の負担を軽減することができる効果がある。
また、ループ部を有した弾性部材を用いることで、この弾性部材を設けていない従来の開閉装置と比較して薄型化を図ることが可能になると共に、部品点数を低減することができるため、省スペース化とコスト低減を図ることができる効果がある。
【００１０】
請求項２に記載した発明によれば、請求項１の効果に加え、前記ループ部と支持部を一体で形成して前記ループ部の支持部を別途設ける必要がなくなるため、部品点数をさらに低減して前記開閉装置の厚さ寸法をさらに薄くすることができる点で有利となる。
【００１１】
請求項３に記載した発明によれば、請求項２の効果に加えて、一周巻回するだけで支持部を形成できるため、前記支持部を容易且つ低廉に形成することが可能となり、したがって、前記弾性部材の製造コストの低減を図ることが可能となる。
【００１２】
請求項４に記載した発明によれば、請求項１〜請求項３の効果に加えて、衣服のポケットや鞄に入れて持ち歩き外面に擦り傷等が生じやすい携帯電話で特にカメラ付きの携帯電話で確実且つ容易にレンズを保護することができるため、前記カメラによる撮影を行う場合に迅速に前記カバーを開閉することができ、したがって、操作者の負担が軽減する効果がある。
【発明を実施するための最良の形態】
【００１３】
以下、この発明の実施の形態を図面と共に説明する。
図１はこの実施の形態の開閉装置１を携帯製品としてのカメラ付き携帯電話（携帯電話）２に適用したものである。このカメラ付き携帯電話２は操作部３と表示部４とがヒンジ部５を介して折り畳み可能に構成されたものである。表示部４の上部にはデジタルカメラのレンズ部６が設けられ、このレンズ部６のレンズ７を覆うようにして開閉装置１が取付けられている。開閉装置１のノブ８をスライドさせてシャッター（カバー）９を開きレンズ７を露出させ、ノブ８を戻すとシャッター９が閉じてレンズ７を覆いレンズ７を保護するようになっている。
【００１４】
図２、図３において、前記開閉装置１はガイドレール（ベース）１０とこのガイドレール１０に摺動自在に取り付けられているシャッター９とを備えている。
前記ガイドレール１０は平板をプレス成形したものであり、円形の開口１１が形成された上段部１２と、この上段部１２から下がった下段部１３とで構成されている。前記下段部１３は後述するハートばね１４を収容するものであるため上段部１２に対して下がっている。
【００１５】
前記ガイドレール１０の長手方向に沿った両側縁には、前記上段部１２と下段部１３の境界部分を除き前記シャッター９を案内するレール１５，１６が前記上段部１２、下段部１３共に内側に折曲して形成されている。
前記上段部１２のレール１５は、ガイドレール１０内側に向かって若干入り込むように折曲して形成された上壁１７を備え、この上壁１７と上段部１２の表面との間にはシャッター９の側縁が保持されている。
一方、前記下段のレール１６は、略垂直に折曲して形成された側壁１８と、この側壁１８の上端から前記ガイドレール１０の表面と平行で前記ガイドレール１０内側に向かって若干入り込むように折曲して形成された上壁１９とで構成されている。また、前記上段部１２のレール１５の上壁１７と前記下段部１３のレール１６の上壁１９とはこれらの上面が面一になるように形成されている。
尚、前記ガイドレール１０の両端縁の略中央部にはブラケット２０が外側に突出して設けられている。
【００１６】
前記下段部１３のレール１６の上壁１９には長手方向略中央部に切り欠き部２１が対向して形成されている。この切り欠き部２１の直下には後述するハートばね（弾性部材）１４の係合孔２２が設けられている。この係合孔２２はハートばね１４の一端部（端部）２３と他端部（端部）２４とを係止するためのものである。ここで、前記切り欠き部２１を設けたことによって幅が広いハートばね１４、つまりストロークがより大きなハートばね１４を前記下段部１３に収容することが可能になると共に前記ハートばね１４の一端部２３と他端部２４とを容易に前記係合孔２２に係止させることができるのである。
【００１７】
図４、図５に示すように、前記ハートばね１４は例えばピアノ線等の線状の部材を二周巻回して形成したものであり、大ループ部（ループ部）２５と、この大ループ部２５の内側上部で巻回した小ループ部（支持部）２６とから構成されている。そして、前記大ループ部２５は平面視略ハート形状を呈している。
具体的には、前記ハートばね１４の形状は一端部２３から線状の部材が接線鋭角状に立ち上がり、円弧２７を形成しながら前記一端部２３方向に戻るように湾曲し、前記一端部２３を向いたところで今度は前記円弧２７の方向に戻るようにして立ち上がり、小さい円弧２８を形成して前記一端部２３を向いた部分で交差する。そして、この交差する部分より前述の一端部２３からの立ち上がりと左右対称になるように立ち下り前記一端部２３の立ち上がり部分と交差して他端部２４に至る。
【００１８】
図５に示すように、前記ハートばね１４の一端部２３と他端部２４とは、図４の紙面表方向、つまり前述の大ループ部２５を形成する面に垂直に折曲して形成され、図２、図３に示すように、前記ハートばね１４の一端部２３と他端部２４とが前記ガイドレール１０に設けられた係合孔２２に係止することとなる。一方、前記小ループ部２６は後述するシャッター９の係止部２９に係止して設けられている。
尚、図３中の二点鎖線で示すように、抜け止めとして前記一端部２３と他端部２４の先端をさらに内側に折曲して形成してもよい。このように形成することで前記一端部２３と他端部２４とが前記係合穴により確実に係止され有利となる。
【００１９】
図３に示すように、前記シャッター９は平板材により略矩形状に形成され前記開口１１を閉塞するための部材である。このシャッター９の長手方向の寸法は前記ガイドレール１０の上段部１２よりも若干長く設定されている。そして、前記シャッター９の前記下段部１３側には前記ハートばね１４の小ループ部２６を係止する鈎状の係止部２９が曲げ加工により形成されており、前記シャッター９が全閉の時に前記ガイドレール１０の下段部１３側にシャッター９の端部３０が突出するものである。
尚、前記上段部１２の端縁３１には、前記ブラケット２０の両側に前記シャッター９の全閉位置を決定し、脱落を防止する爪３２が設けられている。
【００２０】
前記シャッター９には前記係止部２９の反対側に取っ手３３が前記係止部２９と逆方向に曲げ加工により一体で形成されている。ここで、この取っ手３３に後述する操作部材３４を固定して設け、シャッター９の操作性を向上させている。
【００２１】
図６、図７に示すように、前記シャッター９の取っ手３３にはロッド３５が固設されている。このロッド３５には上端３６にノブ８が形成され、さらに、このノブ８の下方に前記シャッター９の開閉方向に沿ってガイド突起３７が一体で形成されている。このガイド突起３７は後述するガイド溝３８に摺設し、前記ロッド３５の操作方向へのたわみを規制するためのものである。
【００２２】
図６中破線で示すように、前記シャッター９が全閉位置３９の場合、前記ハートばね１４は前記シャッター９を閉方向に付勢し、図７に示すように、前記シャッター９が全開位置４０の場合、前記シャッター９を開方向に付勢するものである。ここで、前記大ループ部２５は前記シャッター９の移動と共に紙面左方向に移動しつつ縮径するものであり、この大ループ部２５の縮径によって前記ハートばね１４のストローク量が確保されることとなる。
【００２３】
前記シャッター９の全開位置４０と全閉位置３９の中間位置に相当する中間作動位置（図７中、二点鎖線で示す。）４１では前記ハートばね１４が前記シャッター９を開方向又は閉方向のどちらにも付勢しない状態となる。つまり、この中間作動位置４１を境界にして前記シャッター９を付勢する方向が開方向から閉方向又は閉方向から開方向へとフリップフロップ式に変化するのである。
【００２４】
図８〜図１０に示すように、前記カメラ付き携帯電話２の樹脂製のケーシング４２の上壁４３には長孔４４が形成されている。この長孔４４には前述したロッド３５が前記ケーシング４２内側から貫いて配置されこの長孔４４に沿ってケーシング４２の内側にガイド溝３８が形成されている。そして、このガイド溝３８に前記ロッド３５に一体で形成された前記ガイド突起３７が係合している。したがって、前記ノブ８を前記カメラ付き携帯電話２の幅方向に沿ってスライドさせることで、前記シャッター９を開閉することが可能となるのである。
【００２５】
図９に示すように、前記ケーシング４２内部には前記レンズ部６をマウントした基板４５が配置されている。前記レンズ部６のレンズ７正面には前記ケーシング４２に開口部４６が形成されている。この開口部４６は前記レンズ７をケーシング４２外部に露出するためのものである。
前記レンズ７と開口部４６の間には前記開閉装置１が前記ケーシング４２の内側に固定され、この開口部４６と前記レンズ７との間にはこれらと軸線を共有するように前記開閉装置１の前記開口１１が配置されている。
【００２６】
図１０に示すように、前記シャッター９の取っ手３３には前述のロッド３５が前記レンズ７側に突出して設けられている。このロッド３５に形成された前記ガイド突起３７は前記ロッド３５のレンズ７側に配置された前記ガイド溝３８に摺設している。
【００２７】
次に図６、図７に基づいてこの実施の形態の作用を説明する。
図６に示すシャッター９が全閉位置３９に保持されている場合、前記ハートばね１４の交点Ｐから一端部２３に渡る部分である足部４７と、同じく交点Ｐから他端部に渡る部分である足部４８とが最も短い状態となる。そして、前記係合孔２２よりも交点Ｐが右側に配置するように前記各足部４７，４８が傾斜した状態となる。ここで、前述した大ループ部２５の径は最大となり、前記シャッターを全閉位置３９に付勢しつつ、このハートばね１４が自然状態に最も近い状態になり前記ハートばね１４にかかる負担が最も少なくなる。
【００２８】
そして、前記全閉位置３９から全開位置４０に徐々に前記シャッター９を変位させていくと、図７に示すように、前記ハートばね１４が変形状態となる。また、前記交点Ｐが前記係合孔２２よりも左側に変位すると共に、前記大ループ部２５が縮径しこの縮径した分だけ前記各足部４７，４８が長くなる。そして、前記各足部４７，４８の傾斜が左側に傾斜するようになる。この各足部４７，４８の変位に伴い、前述のハートばね１４による付勢力は徐々に弱まり中間作動位置４１を境にして前記付勢力の向きが反転するのである。
【００２９】
さらに、前記中間作動位置４１を過ぎて開方向にシャッター９を変位さていくと、前記大ループ部２５がさらに縮径する。そして、前記シャッター９が全開位置４０に達すると前記大ループ部２５は最も縮径され、同時に前記各足部４７，４８は最も長い状態となる。そして、前記シャッター９に対する開方向への付勢力が最大となる。
この各足部４７，４８の長さがシャッター９の操作に合わせて伸び縮みすることによって前記ハートばね１４のストローク量を大きくすることが可能となっている。
【００３０】
したがって、上記実施の形態によれば、シャッター９の中間作動位置４１を境にして前記シャッター９が開方向又は閉方向に常に付勢して設けられているため、前記シャッター９の開閉操作をした後は前記シャッター９を確実に全開又は全閉にすることができ、操作者の負担を軽減することができる。
【００３１】
また、大ループ部２５を設けたハートばね１４を用いることで開閉装置１を薄型化することが可能となるため、前記開閉装置１の部品点数を低減することができ、したがって、前記開閉装置１の省スペース化とコスト低減を図ることが可能となる。
【００３２】
そして、前記大ループ部２５にさらに一周巻回して小ループ部２６を設けたことで、前記大ループ部２５を前記シャッター９に支持するための支持部を前記大ループ部２５と別体で設ける必要がなくなり、したがって、部品点数をさらに低減すると共に開閉装置１の厚さ寸法をさらに薄くすることができ、容易且つ安価に支持部を形成することができる。
さらに、前記レンズ７を前記シャッター９で保護することで、衣服のポケットや鞄などに入れて持ち歩き外面に擦り傷等の傷が付きやすいカメラ付き携帯電話２においても前記レンズ７を傷付かないように保護することができるため、デジタルカメラによる撮影時に迅速且つ確実に前記シャッター９を開閉することができ、したがって、操作者の負担を軽減することができる。
【００３３】
尚、上記実施の形態に限られるものではなく、カメラ付き携帯電話２のレンズ保護用以外にデジカメやポータブルナビゲーションシステムの表示部を保護するカバーとして用いてもよい。
また、前記カメラ付き携帯電話２のレンズ７の位置は表示部４の上部以外の場所であってもよい。
【図面の簡単な説明】
【００３４】
【図１】この発明の実施の形態のカメラ付き携帯電話の部分断面図である。
【図２】この発明の実施の形態の開閉装置の斜視図である。
【図３】この発明の実施の形態の開閉装置の分解斜視図である。
【図４】この発明の実施の形態のハートばねの正面図である。
【図５】この発明の実施の形態のハートばねの側面図である。
【図６】この発明の実施の形態の開閉装置のシャッターの全閉状態を示す正面図である。
【図７】この発明の実施の形態の開閉装置のシャッターの全開状態と中間作動位置を示す正面図である。
【図８】この発明の実施の形態の図７に相当する拡大図である。
【図９】この発明の実施の形態の図１のＡ−Ａ線に沿う断面図である。
【図１０】この発明の実施の形態の図１のＢ−Ｂ線に沿う断面図である。
【符号の説明】
【００３５】
２  カメラ付き携帯電話（携帯電話）
７  レンズ
９  シャッター（カバー）
１０  ガイドレール（ベース）
１４  ハートばね（弾性部材）
２３  一端部（端部）
２４  他端部（端部）
２５  大ループ部（ループ部）
２６  小ループ部（支持部）
４１  中間作動位置
【図１】
2005252872.tif 000003
【図２】
2005252872.tif 000004
【図３】
2005252872.tif 000005
【図４】
2005252872.tif 000006
【図５】
2005252872.tif 000007
【図６】
2005252872.tif 000008
【図７】
2005252872.tif 000009
【図８】
2005252872.tif 000010
【図９】
2005252872.tif 000011
【図１０】
2005252872.tif 000012